【手続補正書】
【提出日】平成15年10月8日(2003.10.8)
【手続補正１】
【補正対象書類名】明細書
【補正対象項目名】特許請求の範囲
【補正方法】変更
【補正の内容】
【特許請求の範囲】
【請求項１】
第１の伝送方向の複数の第１のチャネルを有する第１のチャネルグループと、該第１の伝送方向とは反対の第２の伝送方向の複数の第２のチャネルを有する第２のチャネルグループとにより信号を伝送するノード装置であって、
前記第１のチャネルグループのチャネルからの信号を受信する第１の受信手段と、
所定のパターンに従って、前記第１の受信手段により受信した信号を前記第１のチャネルグループの１つの第１のチャネルに出力する第１のスイッチ手段と、
前記第１のスイッチ手段から出力される信号を、前記第１のチャネルのままで出力するか、前記第２のチャネルで出力するかを選択する第１の選択手段とを有し、
前記前記第１のスイッチ手段から出力される信号を前記第２のチャネルで出力する場合も、前記第１のスイッチ手段は、前記所定のパターンに従って、前記第２のチャネルの１つに信号を出力することを特徴とするノード装置。
【請求項２】
前記第１のスイッチ手段は、前記第１の選択手段が前記スイッチ手段からの出力を前記第１のチャネルのままで出力している状態と前記第２のチャネルで出力している状態とのどちらを選択しているかに応じて、交換を行うものである請求項１に記載のノード装置。
【請求項３】
前記複数の第１のチャネルと前記複数の第２のチャネルとは前記第１の選択手段において一対一に対応しており、前記第１の選択手段は、前記第１のチャネルからの入力を第１のチャネルのままで出力するか、入力された第１のチャネルと対応する第２のチャネルで出力するかを選択するものである請求項１もしくは２に記載のノード装置。
【請求項４】
前記複数の第２のチャネル間での信号の交換を行い、前記複数の第２のチャネルで出力する第２のスイッチ手段を有する請求項１乃至３いずれかに記載のノード装置。
【請求項５】
ノード装置内で、前記第２のチャネルで伝送されている信号を、前記第２のチャネルのままで出力するか、前記第１のチャネルで出力するかを選択する第２の選択手段を有している請求項１乃至４いずれかに記載のノード装置。
【請求項６】
前記第２のスイッチ手段からの出力を前記第２のチャネルのままで出力するか、前記第１のチャネルで出力するかを選択する第２の選択手段を有している請求項４に記載のノード装置。
【請求項７】
前記第２のスイッチ手段は、前記第２の選択手段が前記スイッチ手段からの出力を前記第２のチャネルのままで出力している状態と前記第１のチャネルで出力している状態とのどちらを選択しているかに応じて、交換を行うものである請求項６に記載のノード装置。
【請求項８】
前記複数の第１のチャネルと前記複数の第２のチャネルとは前記第２の選択手段において一対一に対応しており、前記第２の選択手段は、前記第２のチャネルからの入力を第２のチャネルのままで出力するか、入力された第２のチャネルと対応する第１のチャネルで出力するかを選択するものである請求項５乃至７いずれかに記載のノード装置。
【請求項９】
前記第２のスイッチ手段は、複数の第２のチャネルを伝送されてくる信号を記憶し、入力されたチャネル毎に出力するバッファ手段と、該バッファ手段からの、前記入力されたチャネル毎の出力を各入力とし、該入力それぞれと、第２のスイッチ手段から出力される前記複数の第２のチャネルとの接続関係を切り換えるスイッチから成る請求項４もしくは６もしくは７に記載のノード装置。
【請求項１０】
前記スイッチは、前記入力と、前記複数の第２のチャネルとの接続関係を所定のパターンで、かつ、複数の入力が同時に同じ第２のチャネルに接続されないように変更するものであり、前記バッファ手段は、前記スイッチにおける接続関係が変更されるのに応じて、前記入力されたチャネル毎の出力として信号を読み出すものである請求項９に記載のノード装置。
【請求項１１】
前記第１のスイッチ手段は、複数の第１のチャネルを伝送されてくる信号を記憶し、入力されたチャネル毎に出力するバッファ手段と、該バッファ手段からの、前記入力されたチャネル毎の出力を各入力とし、該入力それぞれと、第１のスイッチ手段から出力される前記複数の第１のチャネルとの接続関係を切り換えるスイッチから成る請求項１乃至１０いずれかに記載のノード装置。
【請求項１２】
前記スイッチは、前記入力と、前記複数の第１のチャネルとの接続関係を所定のパターンで、かつ、複数の入力が同時に同じ第１のチャネルに接続されないように変更するものであり、前記バッファ手段は、前記スイッチにおける接続関係が変更されるのに応じて、前記入力されたチャネル毎の出力として信号を読み出すものである請求項１１に記載のノード装置。
【請求項１３】
ネットワークにおいて、
第１の伝送方向の複数の第１のチャネルを有する第１のチャネルグループと、該第１の伝送方向とは反対の第２の伝送方向の複数の第２のチャネルを有する第２のチャネルグループとにより信号を伝送するノード装置であって、
前記第１のチャネルグループのチャネルからの信号を受信する第１の受信手段と、
所定のパターンに従って、前記第１の受信手段により受信した信号を前記第１のチャネルグループの１つの第１のチャネルに出力する第１のスイッチ手段と、
前記第１のスイッチ手段から出力される信号を、前記第１のチャネルのままで出力するか、前記第２のチャネルで出力するかを選択する第１の選択手段とを有し、
前記前記第１のスイッチ手段から出力される信号を前記第２のチャネルで出力する場合も、前記第１のスイッチ手段は、前記所定のパターンに従って、前記第２のチャネルの１つに信号を出力するノード装置を有することを特徴とするネットワーク。
【請求項１４】
第１の伝送方向の複数の第１のチャネルを有する第１のチャネルグループと、該第１の伝送方向とは反対の第２の伝送方向の複数の第２のチャネルを有する第２のチャネルグループとにより信号を伝送するノード装置における信号の伝送制御方法であって、
前記第１のチャネルグループのチャネルからの信号を受信する第１の受信工程と、
所定のパターンに従って、前記第１の受信工程により受信した信号を前記第１のチャネルグループの１つの第１のチャネルに出力する第１のスイッチ工程と、
前記第１のスイッチ工程により出力される信号を、前記第１のチャネルのままで出力するか、前記第２のチャネルで出力するかを選択する第１の選択工程とを有し、
前記前記第１のスイッチ工程により出力される信号を前記第２のチャネルで出力する場合も、前記第１のスイッチ工程は、前記所定のパターンに従って、前記第２のチャネルの１つに信号を出力するノード装置により信号を伝送することを特徴とする伝送制御方法。
【手続補正２】
【補正対象書類名】明細書
【補正対象項目名】００１３
【補正方法】変更
【補正の内容】
【００１３】
【発明が解決しようとする課題】
本発明では、ネットワークをより柔軟に構成できるノード装置を提供することを目的とする。また、信号の伝送方向を容易に選択できる構成を提供することを目的とする。たとえば、最初はノード装置１台で通信を行うように構成しておき、その後ノード装置を増やしたくなった時に、容易にノード装置の増設ができたり、ノード装置複数で構成していたネットワークを、切り分けて使用することを容易に実現したり、ネットワークに障害が発生した時に、容易に対応できるようにしたり、特定の信号を伝送方向を指定して伝送したりする。また、何らかの制御情報、例えば、ネットワーク（もしくはノード装置内）における障害を検出した場合やトラフィックを制御したい場合などに伝送する制御情報などを隣接上流ノード装置に送る際に、リングネットワークを一周することなく伝送できる構成を実現したりする。


【手続補正３】
【補正対象書類名】明細書
【補正対象項目名】００１５
【補正方法】変更
【補正の内容】
【００１５】
第１の伝送方向の複数の第１のチャネルを有する第１のチャネルグループと、該第１の伝送方向とは反対の第２の伝送方向の複数の第２のチャネルを有する第２のチャネルグループとにより信号を伝送するノード装置であって、前記第１のチャネルグループのチャネルからの信号を受信する第１の受信手段と、所定のパターンに従って、前記第１の受信手段により受信した信号を前記第１のチャネルグループの１つの第１のチャネルに出力する第１のスイッチ手段と、前記第１のスイッチ手段から出力される信号を、前記第１のチャネルのままで出力するか、前記第２のチャネルで出力するかを選択する第１の選択手段とを有し、前記前記第１のスイッチ手段から出力される信号を前記第２のチャネルで出力する場合も、前記第１のスイッチ手段は、前記所定のパターンに従って、前記第２のチャネルの１つに信号を出力することを特徴とするノード装置。


【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２６
【補正方法】変更
【補正の内容】
【００２６】
ネットワークにおいて、第１の伝送方向の複数の第１のチャネルを有する第１のチャネルグループと、該第１の伝送方向とは反対の第２の伝送方向の複数の第２のチャネルを有する第２のチャネルグループとにより信号を伝送するノード装置であって、前記第１のチャネルグループのチャネルからの信号を受信する第１の受信手段と、所定のパターンに従って、前記第１の受信手段により受信した信号を前記第１のチャネルグループの１つの第１のチャネルに出力する第１のスイッチ手段と、前記第１のスイッチ手段から出力される信号を、前記第１のチャネルのままで出力するか、前記第２のチャネルで出力するかを選択する第１の選択手段とを有し、前記前記第１のスイッチ手段から出力される信号を前記第２のチャネルで出力する場合も、前記第１のスイッチ手段は、前記所定のパターンに従って、前記第２のチャネルの１つに信号を出力するノード装置を有することを特徴とするネットワーク。


【手続補正１３】
【補正対象書類名】明細書
【補正対象項目名】００２７
【補正方法】変更
【補正の内容】
【００２７】
この構成において、選択手段により、第１のチャネルを伝送される信号の出力先を選択することができる為、柔軟に用いることができるノード装置によりネットワークを構成できる。


【手続補正１４】
【補正対象書類名】明細書
【補正対象項目名】００２８
【補正方法】削除
【補正の内容】
【手続補正１５】
【補正対象書類名】明細書
【補正対象項目名】００２９
【補正方法】削除
【補正の内容】
【手続補正１６】
【補正対象書類名】明細書
【補正対象項目名】００３０
【補正方法】削除
【補正の内容】
【手続補正１７】
【補正対象書類名】明細書
【補正対象項目名】００３１
【補正方法】削除
【補正の内容】
【手続補正１８】
【補正対象書類名】明細書
【補正対象項目名】００３２
【補正方法】削除
【補正の内容】
【手続補正１９】
【補正対象書類名】明細書
【補正対象項目名】００３３
【補正方法】削除
【補正の内容】
【手続補正２０】
【補正対象書類名】明細書
【補正対象項目名】００３４
【補正方法】削除
【補正の内容】
【手続補正２１】
【補正対象書類名】明細書
【補正対象項目名】００３５
【補正方法】削除
【補正の内容】
【手続補正２２】
【補正対象書類名】明細書
【補正対象項目名】００３６
【補正方法】削除
【補正の内容】
【手続補正２３】
【補正対象書類名】明細書
【補正対象項目名】００３７
【補正方法】削除
【補正の内容】
【手続補正２４】
【補正対象書類名】明細書
【補正対象項目名】００３８
【補正方法】削除
【補正の内容】
【手続補正２５】
【補正対象書類名】明細書
【補正対象項目名】００３９
【補正方法】削除
【補正の内容】
【手続補正２６】
【補正対象書類名】明細書
【補正対象項目名】００４０
【補正方法】削除
【補正の内容】
【手続補正２７】
【補正対象書類名】明細書
【補正対象項目名】００４１
【補正方法】削除
【補正の内容】
【手続補正２８】
【補正対象書類名】明細書
【補正対象項目名】００４３
【補正方法】変更
【補正の内容】
【００４３】
第１の伝送方向の複数の第１のチャネルを有する第１のチャネルグループと、該第１の伝送方向とは反対の第２の伝送方向の複数の第２のチャネルを有する第２のチャネルグループとにより信号を伝送するノード装置における信号の伝送制御方法であって、前記第１のチャネルグループのチャネルからの信号を受信する第１の受信工程と、所定のパターンに従って、前記第１の受信工程により受信した信号を前記第１のチャネルグループの１つの第１のチャネルに出力する第１のスイッチ工程と、前記第１のスイッチ工程により出力される信号を、前記第１のチャネルのままで出力するか、前記第２のチャネルで出力するかを選択する第１の選択工程とを有し、前記前記第１のスイッチ工程により出力される信号を前記第２のチャネルで出力する場合も、前記第１のスイッチ工程は、前記所定のパターンに従って、前記第２のチャネルの１つに信号を出力するノード装置により信号を伝送することを特徴とする伝送制御方法。


【手続補正２９】
【補正対象書類名】明細書
【補正対象項目名】００４４
【補正方法】変更
【補正の内容】
【００４４】
柔軟に用いることができるノード装置により信号の伝送することができる。